(57)【要約】【課題】釣り餌として用いられる貝類若しくは甲殻類の殻を容易に割ることが可能な魚釣り用ハンマーの提供。【解決手段】ハンマー１０は、釣り餌として用いられる貝類若しくは甲殻類の殻を叩き割るための魚釣り用ハンマーである。このハンマー１０は、柄２０と、ヘッド３０とを備える。ヘッド３０は、略円柱状に形成されており、その軸方向の一方側の第１端面３１に凹部４１が形成されており、他方側の第２端面３２に凹部４２が形成されている。【選択図】図１
2009225720.tif 000002
【特許請求の範囲】
【請求項１】
釣り餌として用いられる貝類若しくは甲殻類の殻を叩き割るための魚釣り用ハンマーであって、
柄と、
上記柄の先端に設けられ、上記釣り餌を打撃する打撃面を有するヘッドと、
上記打撃面に設けられた凹部と、を具備する魚釣り用ハンマー。
【請求項２】
上記凹部は、その深さ方向に先細り形状に形成されている請求項１に記載の魚釣り用ハンマー。
【請求項３】
上記凹部は、すり鉢状に形成されている請求項１又は２に記載の魚釣り用ハンマー。
【請求項４】
上記凹部は、その内面が階段状に形成されている請求項１から３のいずれかに記載の魚釣り用ハンマー。
【請求項５】
上記ヘッドは、第１凹部が設けられた第１打撃面と、第２凹部が設けられた第２打撃面とを有し、
上記第１凹部と上記第２凹部とは、その深さ及び内径の両方若しくはいずれか一方が異なる請求項１から４のいずれかに記載の魚釣り用ハンマー。
【請求項６】
上記ヘッドは、上記凹部の深さを調節する調節機構を備える請求項１から５のいずれかに記載の魚釣り用ハンマー。
【請求項７】
上記調節機構は、
上記凹部に連続して該凹部の深さ方向に向かって穿設された孔に挿通され、上記凹部の底面を構成する端面を有するロッドと、
上記ロッドの側面に形成されたウォーム歯車と、
上記ヘッドに回転可能に支持され、上記ウォーム歯車と噛合して回転することにより上記ロッドを上記凹部の深さ方向に移動させるウォームとを備える請求項６に記載の魚釣り用ハンマー。
【発明の詳細な説明】
【技術分野】
【０００１】
本発明は、釣り餌として用いられる貝類若しくは甲殻類の殻を叩き割るための魚釣り用ハンマーに関する。
【背景技術】
【０００２】
従来、磯場での魚釣り（磯釣り）においては、ピトンと呼ばれる竿受け（竿掛け）が用いられる。ピトンは、棒状のロッドと、その先端に設けられた受け部とを有しており、ロッドを磯場の割れ目に自立させて用いられる。釣人は、受け部に竿を掛け置きながら、魚のアタリを待つ。特に、石鯛釣りなどの底物釣りでは、パワーのある大物魚が掛かることが多い。そのため、釣人は、非特許文献１に記載の磯ハンマーなどを用いてピトンを磯場の割れ目に打ち込んで確実に固定して使用する。
【０００３】
また、磯釣りでは、釣り餌として殻を有する貝類若しくは甲殻類が多用される。特に、石鯛などの底物釣りでは、サザエ、トコブシ、アワビ、赤貝、アサリなどの貝類や、ヤドカリ、フジツボなどの甲殻類などが釣り餌として用いられる。例えば、サザエを釣り餌として用いる場合は、釣人は、地面にサザエを置き、上記磯ハンマーでサザエの殻を割り、そして、蓋を外すことでサザエをむき身にする。このようにしてむき身にされたサザエが釣り針に刺し通されて釣り餌として使用される。
【０００４】
【非特許文献１】Fishing Web Catalog，［online］，ダイワ精工株式会社，［平成１９年９月５日検索］，インターネット〈URL：http://www.daiwaseiko.co.jp/fishing/，http://fishing.daiwa21.com/index.asp?ItemID=552〉
【発明の開示】
【発明が解決しようとする課題】
【０００５】
しかしながら、上記磯ハンマーの打撃面は平らに形成されているため、釣人がハンマーで殻を打ち叩くと、殻と打撃面とが滑り、釣り餌が跳ね飛ばされる場合がある。また、勢い余って殻を強く打ち叩くと、殻だけでなく中身も砕かれて、釣り餌として用を足さなくなるという問題が生じ得る。また、殻の一部が割られた状態の貝類や甲殻類を釣り餌として使用する場合に、上記磯ハンマーでは、殻の割れ具合を調整するのが困難である。
【０００６】
そこで、本発明は上記問題に鑑みてなされたものであり、その目的とするところは、釣り餌として用いられる貝類若しくは甲殻類の殻を容易に割ることが可能な魚釣り用ハンマーを提供することにある。
【課題を解決するための手段】
【０００７】
(1)  本発明は、釣り餌として用いる貝類及び甲殻類の殻を叩き割るための魚釣り用ハンマーである。この魚釣り用ハンマーは、柄と、上記柄の先端に設けられ上記釣り餌を打撃する打撃面を有するヘッドと、上記打撃面に設けられた凹部とを具備する。
【０００８】
この構成によれば、釣人が、地面に置かれた釣り餌に対して魚釣り用ハンマーを振り下ろすと、凹部によって釣り餌が覆われるとともに、凹部の底面と釣り餌の殻とが衝突して、殻が割れる。この場合、凹部の内面と地面との間に形成された空間に、殻だけが叩き割られた釣り餌が収容される。
【０００９】
(2)  上記凹部は、その深さ方向に先細り形状に形成されていることが望ましい。
【００１０】
これにより、凹部の内面に殻が衝突したときの衝撃が分散されるため、衝撃による振動が抑制され、打撃時の不快感が防止される。
【００１１】
(3)  また、上記凹部は、すり鉢状に形成されていてもよい。
【００１２】
これにより、表面が湾曲している殻を有する貝類や甲殻類を釣り餌として用いる場合は、凹部の内面と殻との接触面積が大きくなり、殻全体に対して均等に衝撃が加えられる。そのため、釣り餌の殻を満遍なく均等に割ることができる。
【００１３】
(4)  上記凹部は、その内面が階段状に形成されていることが望ましい。
【００１４】
これにより、衝突時において、釣り餌の殻と凹部の内面との滑りが軽減される。
【００１５】
(5)  上記ヘッドは、第１凹部が設けられた第１打撃面と、第２凹部が設けられた第２打撃面とを有し、上記第１凹部と上記第２凹部とは、その深さ及び内径の両方若しくはいずれか一方が異なることが好ましい。
【００１６】
これにより、釣人は、釣り餌の形状や大きさに適合する凹部を選択することが可能となり、当該魚釣り用ハンマーの使い勝手が向上する。
【００１７】
(6)  上記ヘッドは、上記凹部の深さを調節する調節機構を備えることが望ましい。
【００１８】
これにより、釣人は、釣り餌の形状や大きさに適合するように、凹部の深さを適宜調節することが可能となり、当該魚釣り用ハンマーの使い勝手が向上する。
【００１９】
(7)  上記調節機構は、上記凹部に連続して該凹部の深さ方向に向かって穿設された孔に挿通され上記凹部の底面を構成する端面を有するロッドと、上記ロッドの側面に形成されたウォーム歯車と、上記ヘッドに回転可能に支持され上記ウォーム歯車と噛合して回転することにより上記ロッドを上記凹部の深さ方向に移動させるウォームとを備える。
【００２０】
このように構成されることにより、調節機構を具体的に実現することができる。
【発明の効果】
【００２１】
本発明の魚釣り用ハンマーによれば、釣り餌に対して当該魚釣り用ハンマーが振り下ろされた場合に、凹部によって釣り餌が覆われるとともに、凹部の底面と釣り餌の殻とが衝突して殻が割り砕かれるため、殻を容易に叩き割ることができる。
【発明を実施するための最良の形態】
【００２２】
以下、適宜図面が参照されつつ、好ましい実施形態に基づいて本発明が詳細に説明される。なお、以下の実施形態は本発明が具体化された一例にすぎず、本発明の要旨を変更しない範囲で、各実施形態が適宜変更され得ることは言うまでもない。
【００２３】
《第１実施形態》
以下、図１から図３が参照されて、本発明の魚釣り用ハンマーの第１実施形態に係るハンマー１０が詳細に説明される。ここに、図１は、ハンマー１０の斜視図である。図２は、ハンマー１０のヘッド３０の縦断面図である。図３は、第１実施形態の変形例を示すヘッド３０の縦断面図である。なお、図２及び図３では、柄２０の一部が省略されている。
【００２４】
ハンマー１０は、主として、磯場での魚釣り（磯釣り）に携行され、釣り餌である貝類や甲殻類が有する殻をたたき割るための釣り用具である。特に、このハンマー１０は、釣り餌として用いられるサザエ、トコブシ、アワビ、赤貝、アサリなどの貝類や、ヤドカリ、フジツボなどの甲殻類の殻を叩き割る用途に適している。なお、ヤドカリを釣り餌として用いる場合は、ハンマー１０は、ヤドカリが寄宿する貝殻を割る用途に用いられる。
【００２５】
図１に示されるように、ハンマー１０は、大別すると、柄２０（本発明の柄の一例）と、ヘッド３０（本発明のヘッドの一例）とを備える。
【００２６】
柄２０は、略真っ直ぐに形成された丸棒状のパイプ２１と、パイプ２１の持ち手側に設けられたグリップ２２とを有する。パイプ２１は、耐食性に優れたステンレス鋼で形成されている。パイプ２１の長さや肉厚、外径などは、使用者が使いやすい形状及び重量となる寸法に設定されている。なお、本第１実施形態では、柄２０を丸棒状のパイプ２１で構成することとしたが、断面が楕円形や多角形（例えば四角形）などのパイプで柄２０を構成してもかまわない。もちろん、柄２０は、パイプ状のものに限定されず、中実状のものであってもよい。また、柄２０をステンレス鋼で形成せず、例えば、チタンやスチールなどの金属、或いは木材で形成してもかまわない。
【００２７】
グリップ２２は、弾性を有するゴムで形成されている。グリップ２２は、一方端が閉塞され、他方端が開口された略筒状に形成されている。このグリップ２２に、パイプ２１の持ち手側の端部２５からパイプ２１が嵌め入れられる。グリップ２２の表面は、例えば、複数の微小突起が形成された梨地仕上げに加工されている。したがって、濡れ手でグリップ２２を手にとった場合でも、手が滑り難くい。また、ハンマー１０を強打した場合でも、ゴムの弾性によって振動が吸収されるため、手にしびれが生じない。
【００２８】
柄２０の持ち手側の端部には貫通孔２６が形成されている。この貫通孔２６は、グリップ２２及びパイプ２１を貫通している。貫通孔２６に、紐２７が挿通されている。
【００２９】
図１に示されるように、柄２０の先端にヘッド３０が設けられている。ヘッド３０は、パイプ２１の端部２５とは反対側の端部２４に溶接されている。
【００３０】
ヘッド３０は、略円柱形状に形成された胴部３３を有する。この胴部３３は、パイプ２１と同様に、耐食性に優れたステンレス鋼で形成されている。もちろん、胴部３３を、チタンやスチールなどの金属、或いは木材で形成してもかまわない。胴部３３には、その軸方向の一方側に第１端面３１（本発明の打撃面、第１打撃面に相当）が形成されており、上記軸方向の他方側に第２端面３２（本発明の打撃面、第２打撃面に相当）が形成されている。釣人が、釣り餌に向かってハンマー１０を振り下ろして、釣り餌を打撃する際に、第１端面３１又は第２端面３２のいずれか一方が釣り餌に向けられる。
【００３１】
図２に示されるように、第１端面３１には凹部４１（本発明の凹部の一例）が設けられている。凹部４１は、第１端面３１を切削することにより形成される。具体的には、凹部４１の内面が、その深さ方向に先細り形状に形成されている。本第１実施形態では、凹部４１の内面は、階段状に形成されている。
【００３２】
図２に示されるように、第２端面３２には、凹部４１と同じ形状の凹部４２（本発明の凹部の一例）が設けられている。凹部４２は、第２端面３２を切削することにより形成される。凹部４２も、凹部４１と同様に、その内面が、深さ方向に先細り形状で、且つ、階段状に形成されている。
【００３３】
凹部４１及び凹部４２の深さ及び内径は、それぞれ、釣り餌として用いられるサザエ、トコブシ、アワビ、赤貝、アサリなどの貝類や、ヤドカリ、フジツボなどの甲殻類の大きさに適合する寸法に形成されている。もちろん、凹部４１及び凹部４２が、全ての種類の釣り餌に適合する必要はなく、例えば、サザエのみに適合する寸法に形成されていてもよい。
【００３４】
このようにハンマー１０が構成されているため、釣人が、地面に置かれた釣り餌に対して凹部４１側からハンマー１０を振り下ろすと、凹部４１によって釣り餌が覆われるとともに、凹部４１の内面と釣り餌の殻とが衝突して、殻が割れる。このとき、釣り餌は、空間４１Ａに収容されるため、跳ね飛ばされない。また、殻の中身が空間４１Ａによって守られるため、ハンマー１０で殻を強く打ち叩いた場合でも、中身が砕かれることはない。更に、殻の中身が衝撃を緩衝する緩衝材の役割を果たすため、殻が粉々に砕かれずに済み、殻が適度に割られた状態の釣り餌を得ることができる。なお、言うまでもないが、凹部４２側で釣り餌を打ち叩いた場合でも、容易に殻を割ることができる。
【００３５】
また、凹部４１及び凹部４２が、図２に示されるように、その深さ方向に先細り形状に形成されているため、凹部４１及び凹部４２の内面に殻が衝突したときの衝撃が分散される。これにより、衝撃による柄２０の振動が抑制され、手のしびれなどの不快感が防止される。
【００３６】
また、凹部４１及び凹部４２は、その内面が階段状に形成されているため、衝突時において、釣り餌の殻と凹部４１及び凹部４２の内面との滑りが軽減される。これにより、釣り餌の殻を凹部４１及び凹部４２の内部で確実に割ることができる。
【００３７】
なお、本第１実施形態では、凹部４１及び凹部４２の内面を階段状に形成することとしたが、例えば、図３に示される変形例の如く、凹部４１及び凹部４２の内面をすり鉢状に形成してもかまわない。これにより、表面が湾曲している殻を有する貝類や甲殻類を釣り餌として用いる場合は、凹部４１及び凹部４２の内面と殻との接触面積が大きくなり、殻全体に対して均等に衝撃が加えられる。そのため、釣り餌の殻を満遍なく均等に割ることができる。もちろん、凹部４１の内面を図２に示されるように階段状に形成し、凹部４２の内面を図３に示されるようにすり鉢状に形成してもかまわない。また、本第１実施形態では、第１端面３１及び第２端面３２の両方に凹部４１，４２を設けることとしたが、例えば、第１端面３１に凹部４１を設け、第２端面３２は、従来の磯ハンマーと同様にフラットに形成してもよい。この場合は、本発明のハンマー１０を、ピトンを磯場に打ち込むために用いる磯ハンマーとして兼用することが可能となり、釣人の使い勝手が向上する。
【００３８】
《第２実施形態》
以下、図４及が参照されて、本発明の魚釣り用ハンマーの第２実施形態に係るハンマー５０が詳細に説明される。ここに、図４は、ハンマー５０のヘッド３０の縦断面図である。なお、本第２実施形態では、ハンマー５０の構成要素のうち、上述の第１実施形態のハンマー１０の構成要素と共通するものについては、ハンマー１０の構成要素と同じ符号を付すことによりその詳細な説明を省略する。
【００３９】
ハンマー５０は、上述の第１実施形態のハンマー１０と同じように、柄２０と、ヘッド３０とを備える。本第２実施形態では、ヘッド３０の第１端面３１に凹部５１（本発明の第１凹部の一例）が設けられている点と、第２端面３２に凹部５２（本発明の第２凹部の一例）が設けられている点において、第１実施形態の構成とは異なる。
【００４０】
図４に示されるように、凹部５１及び凹部５２それぞれの内面は、深さ方向に先細り形状で、且つ、階段状に形成されている。凹部５１と凹部５２とは、その深さが異なる寸法に形成されている。詳細には、凹部５１は凹部５２よりも深く形成されている。凹部５１及び凹部５２の具体的な寸法の一例として、例えば、取り餌として用いるサザエに適合する深さに凹部５１を形成し、サザエよりも小さいフジツボに適合する深さに凹部５２を形成することが考えられる。
【００４１】
このようにハンマー５０が構成されているため、釣人は、釣り餌の殻を叩き割る際に、凹部５１及び凹部５２のうち、釣り餌の殻の形状や大きさに適合するいずれかの凹部を選択することが可能となる。これにより、ハンマー５０の使い勝手が向上する。
【００４２】
なお、本第２実施形態では、凹部５１及び凹部５２の深さを異ならせることとしたが、深さだけでなく、凹部５１及び凹部５２の内径を釣り餌の殻に応じて異ならせてもかまわない。
【００４３】
《第３実施形態》
以下、図５が参照されて、本発明の魚釣り用ハンマーの第３実施形態に係るハンマー５５が詳細に説明される。ここに、図５は、ハンマー５５の部分斜視図である。なお、本第３実施形態では、ハンマー５５の構成要素のうち、上述の第１実施形態のハンマー１０の構成要素と共通するものについては、ハンマー１０の構成要素と同じ符号を付すことによりその詳細な説明を省略する。
【００４４】
ハンマー５５は、上述の第１実施形態のハンマー１０と同じように、柄２０と、ヘッド３０とを備える。本第３実施形態では、ヘッド３０に、略十字形状の胴部５７が設けられている。
【００４５】
胴部５７には、４つの端面５７（本発明の打撃面に相当）が形成されている。各端面５７それぞれに、凹部５８（本発明の凹部の一例）が設けられている。これら凹部５８は、第１実施形態における凹部４１や凹部４２と同じように、端面５７を切削することによりその深さ方向に先細り形状に形成されている。各凹部５８は、それぞれ、深さ及び内径が異なる寸法に形成されている。
【００４６】
このように、ハンマー５５に寸法の異なる４つの凹部５８が設けられているため、使用される釣り餌の殻の形状と凹部５８の形状との適合性を高めることができる。
【００４７】
《第４実施形態》
以下、図６及び図７が参照されて、本発明の魚釣り用ハンマーの第４実施形態に係るハンマー６０が詳細に説明される。ここに、図６は、ハンマー６０のヘッド３０の縦断面図である。図７は、ハンマー６０のロッド７２のスライド動作を説明するための断面図である。なお、本第４実施形態では、ハンマー６０の構成要素のうち、上述の第１実施形態のハンマー１０の構成要素と共通するものについては、ハンマー１０の構成要素と同じ符号を付すことによりその詳細な説明を省略する。
【００４８】
ハンマー６０は、上述の第１実施形態のハンマー１０と同じように、柄２０と、ヘッド３０とを備える。本第４実施形態では、ヘッド３０に調節機構７０（本発明の調節機構の一例）が設けられている点において、第１実施形態の構成とは異なる。
【００４９】
図６に示されるように、ヘッド３０の胴部３３には、凹部４１の深さ方向に向かって貫通する貫通孔６４が形成されている。この貫通孔６４は、凹部４１から凹部４２まで軸方向へ胴部３３を穿孔することにより設けられる。つまり、貫通孔６４は、凹部４１から凹部４２まで貫通している。貫通孔６４の内径は、凹部４１及び凹部４２の最大内径よりも小さい寸法に形成されている。この貫通孔６４が形成されることで、ヘッド３０の胴部３３は、略円筒形状を呈する。
【００５０】
また、胴部３３には、その表面から貫通孔６４に貫通する貫通孔６５が形成されている。この貫通孔６５の内壁に、後述の支持軸７４を回転可能に支持するための軸孔６６が形成されている。
【００５１】
調節機構７０は、凹部４１及び凹部４２の深さを調節するためのものである。この調節機構７０は、図６に示されるように、ロッド７２（本発明のロッドの一例）と、ロッド７２に設けられたウォームギヤ７６（本発明のウォーム歯車の一例）と、ウォーム７８（本発明のウォームの一例）とを有する。
【００５２】
ロッド７２は、丸棒状のステンレス鋼で構成されている。ロッド７２は、貫通孔６４に配置されている。ロッド７２は、貫通孔６４の内径よりも若干小さい外径に形成されている。したがって、ロッド７２は、貫通孔６４に挿通された状態で、貫通孔６４の軸方向にスライド可能である。本第４実施形態では、ロッド７２の長手方向の一方側の端面８１が凹部４１の空間４１Ａに露出されており、この端面８１によって、凹部４１の底面が形成されている。また、ロッド７２の長手方向の他方側の端面８２が凹部４２の空間４２Ａに露出されており、この端面８２によって、凹部４２の底面が形成されている。
【００５３】
ウォームギヤ７６は、ロッド７２の周面（本発明の側面に相当）に形成されている。つまり、ウォームギヤ７６は、ロッド７２に一体に形成されている。このウォームギヤ７６は、ロッド７２の周面の一部において、長手方向に沿って形成されている。本第４実施形態では、図６に示されるように、ウォームギヤ７６が貫通孔６５に対向するようにロッド７２が貫通孔６４に挿通されている。
【００５４】
貫通孔６５には、ウォーム７８が配置されている。ウォーム７８は、ネジ歯車として構成されている。図示されるように、ウォーム７８の中心に貫通孔７９が形成されている。この貫通孔７９に支持軸７４が挿通され、支持軸７４の両端が軸孔６６に嵌め込まれている。すなわち、支持軸７４は、その両端が胴部３３に支持されると共に、ウォーム７８を貫通孔６５内で支持している。これにより、ウォーム７８は、貫通孔６５において、回転可能に支持されている。本第４実施形態では、調節機構７０は、ウォーム７８とウォームギヤ７６とが噛み合うようにヘッド３０内に組み付けられている。
【００５５】
本第４実施形態の調節機構７０は、以下のように動作する。図７に示されるように、ウォーム７８が矢印８６に示される方向へ回転されると、回転時に加えられた力がウォームギヤ７６を介してロッド７２に伝えられ、ロッド７２が矢印８９に示される方向、つまり、凹部４１側へ移動する。これにより、凹部４１の深さが小さくなり、反対側の凹部４２の深さが大きくなる。一方、ウォーム７８が矢印８７に示される方向へ回転されると、回転時に加えられた力がウォームギヤ７６を介してロッド７２に伝えられ、ロッド７２が矢印９０に示される方向、つまり、凹部４２側へ移動する。これにより、凹部４１の深さが大きくなり、反対側の凹部４２の深さが小さくなる。
【００５６】
このようにハンマー６０が構成されているため、釣人は、凹部４１及び凹部４２の深さを自由に調節することができる。これにより、釣り餌の形状や大きさに適合するように、凹部４１及び凹部４２の深さを適宜調節することが可能となり、当該ハンマー６０の使い勝手が向上する。
【００５７】
なお、上述した各実施形態は本発明の一例にすぎず、本発明の要旨を変更しない範囲で、実施形態を適宜変更することが可能である。
【図面の簡単な説明】
【００５８】
【図１】図１は、本発明の第１実施形態に係るハンマー１０の斜視図である。
【図２】図２は、本発明の第１実施形態に係るハンマー１０のヘッド３０の縦断面図である。
【図３】図３は、本発明の第１実施形態の変形例を示すヘッド３０の縦断面図である。ハッカー１０の斜視図である。
【図４】図４は、本発明の第２実施形態に係るハンマー５０のヘッド３０の縦断面図である。
【図５】図５は、本発明の第３実施形態に係るハンマー５５の部分斜視図である。
【図６】図６は、本発明の第４実施形態に係るハンマー６０のヘッド３０の縦断面図である。
【図７】図７は、本発明の第４実施形態に係るハンマー６０のロッド７２のスライド動作を説明するための断面図である。
【符号の説明】
【００５９】
１０，５０，５５，６０・・・ハンマー
２０・・・柄
２４・・・先端
３０・・・ヘッド
３１・・・第１端面
３２・・・第２端面
３３・・・胴部
４１，４２・・・凹部
５１，５２・・・凹部
６４・・・貫通孔
７０・・・調節機構
７２・・・ロッド
７４・・・軸
７６・・・ウォームギヤ
７８・・・ウォーム
８１，８２・・・端面
【図１】
2009225720.tif 000003
【図２】
2009225720.tif 000004
【図３】
2009225720.tif 000005
【図４】
2009225720.tif 000006
【図５】
2009225720.tif 000007
【図６】
2009225720.tif 000008
【図７】
2009225720.tif 000009